(57)【要約】【課題】入球口に対する不正行為を確実に防止可能な遊技機を提供する。【解決手段】第一始動口１６に入球した遊技球５０は、中央通路部３０３によって遊技盤２の背面における所定の排出位置まで案内される。中央通路部３０３は、第一始動口１６に入球した遊技球５０を下方に案内する第一案内路３６２と、第一案内路３６２の下流端まで案内された遊技球５０を後方に案内する第三案内路とを有する。可動板３７０は、左右方向に延びる軸３７０Ａから垂下した状態で、第三案内路を塞ぐ。可動板３７０は、垂下した状態から前方に揺動することが左側案内面３６５Ａによって規制される。【選択図】図１０
2014161398.tif 000002
【特許請求の範囲】
【請求項１】
遊技球が流下可能な遊技領域が、前側の面である正面に設けられた遊技盤と、
前記遊技領域に設けられ、当該遊技領域が流下する遊技球が入球可能な入球口と、
前記入球口に遊技球が入球した場合に、遊技者に特典を付与する特典付与手段と、
前記入球口に入球した遊技球を、前記遊技盤の後側の面である背面において所定の排出位置まで案内する案内部材とを備え、
前記案内部材は、
前記入球口に入球した遊技球を下方に案内する遊技球の流路である第一流路と、
前記第一流路の下流端まで案内された遊技球を後方に案内する遊技球の流路である第二流路と、
左右方向に延びる軸から垂下した状態で前記第二流路を塞ぎ、且つ、当該軸によって前後方向に揺動自在に支持された板状体である可動板と、
前記可動板が前記軸から垂下した状態から前方に揺動することを規制する規制部とを有することを特徴とする遊技機。
【請求項２】
前記第二流路の後端部は、前記可動板と略同形の開口であり、
前記可動板は、前記軸から垂下した状態で、前記第二流路の後端部を形成する壁部と面一をなすように当該後端部を塞ぐことを特徴とする請求項１に記載の遊技機。
【請求項３】
前記第二流路の後端部は、前記遊技盤の背面よりも後方に位置しており、
前記案内部材は、前記第二流路の下側に設けられる壁面であって、前記遊技盤の背面から前記第二流路の後端部まで後方に延びる下壁部を有することを特徴とする請求項２に記載の遊技機。
【請求項４】
前記規制部は、前記軸から垂下した前記可動板に対して前方から接触する、前記第二流路を形成する壁面の一部であることを特徴とする請求項１から３のいずれかに記載の遊技機。
【請求項５】
前記規制部は、前記第一流路の下流端から後方に向けて湾曲し、且つ、前記可動板の下方まで延びる曲面状をなし、前記第一流路の下流端まで案内された遊技球を自身の形状に沿って後方に転動させる壁面であることを特徴とする請求項４に記載の遊技機。
【請求項６】
前記第一流路に設けられ、前記入球口に入球した遊技球を検出する球検出手段を備え、
前記特典付与手段は、前記球検出手段によって前記遊技球が検出された場合に、前記特典を付与することを特徴とする請求項１から５のいずれかに記載の遊技機。
【請求項７】
前記可動板の揺動状態を検出する揺動検出手段と、
前記揺動検出手段によって検出された前記可動板の揺動状態と、前記球検出手段によって検出された前記遊技球の数量とに基づいて、前記球検出手段に対する不正行為を検出する不正行為検出手段と
を備えたことを特徴とする請求項６に記載の遊技機。
【発明の詳細な説明】
【技術分野】
【０００１】
本発明は、入球口への不正行為を防止可能な遊技機に関する。
【０００２】
従来、台枠の隙間からセルと呼ばれる板状の不正行為用具を挿入し、台の裏側から始動口や入賞口を不正に作動させる不正行為（所謂、セルゴト）が知られている。このような不正行為を防止する手段を備えた遊技機が各種提案されている（例えば、特許文献１参照）。特許文献１に開示のパチンコ機は、上記の不正行為を防止するために、遊技盤の裏面側に突出する始動口や入賞口を保護する保護ケースを備えている。
【先行技術文献】
【特許文献】
【０００３】
【特許文献１】特開２０１１−８７６２０号公報
【発明の概要】
【発明が解決しようとする課題】
【０００４】
特許文献１に開示のパチンコ機では、保護ケースを遊技盤の裏面に固定するために、保護ケースのフランジ部が、遊技盤の裏面に形成された凹部に挿入されている。この場合、不正行為用具を凹部とフランジ部との間に挿入することで、不正行為用具を遊技盤の裏面に沿って保護ケース内に侵入させて、始動口や入賞口を不正に作動させるおそれがあった。
【０００５】
本発明は、入球口に対する不正行為を確実に防止可能な遊技機を提供することを目的とする。
【課題を解決するための手段】
【０００６】
本発明の一態様に係る遊技機は、遊技球が流下可能な遊技領域が、前側の面である正面に設けられた遊技盤と、前記遊技領域に設けられ、当該遊技領域が流下する遊技球が入球可能な入球口と、前記入球口に遊技球が入球した場合に、遊技者に特典を付与する特典付与手段と、前記入球口に入球した遊技球を、前記遊技盤の後側の面である背面において所定の排出位置まで案内する案内部材とを備え、前記案内部材は、前記入球口に入球した遊技球を下方に案内する遊技球の流路である第一流路と、前記第一流路の下流端まで案内された遊技球を後方に案内する遊技球の流路である第二流路と、左右方向に延びる軸から垂下した状態で前記第二流路を塞ぎ、且つ、当該軸によって前後方向に揺動自在に支持された板状体である可動板と、前記可動板が前記軸から垂下した状態から前方に揺動することを規制する規制部とを有する。
【０００７】
上記遊技機では、遊技盤の正面に設けられた遊技領域を流下する遊技球が入球口に入球すると、遊技者に特典が付与される。入球口に入球した遊技球は、案内部材によって遊技盤の背面における所定の排出位置まで案内される。案内部材は、入球口に入球した遊技球を下方に案内する第一流路と、第一流路の下流端まで案内された遊技球を後方に案内する第二流路とを有する。案内部材が有する可動板は、左右方向に延びる軸から垂下した状態で、第二流路を塞ぐ。可動板は、軸によって前後方向に揺動自在に支持され、且つ、垂下した状態から前方に揺動することが規制部によって規制される。
【０００８】
これによれば、入球口に入球した遊技球は、第一流路および第二流路を経由し、さらに可動板を前方から押して後方に揺動させる。このとき、可動板は第二流路を開放するため、遊技球は可動板の下方を経由して所定の排出位置まで移動する。一方、可動板は後方から押圧されても前方に揺動しないので、第二流路は可動板によって塞がれた状態が維持される。したがって、不正行為者が不正行為用具を所定の排出位置から第二流路に挿入しようとした場合、可動板によって不正行為用具が第一流路に進入することが規制される。その結果、不正行為用具を用いて入球口を不正に作動させる不正行為を、確実に防止できる。
【０００９】
前記第二流路の後端部は、前記可動板と略同形の開口であり、前記可動板は、前記軸から垂下した状態で、前記第二流路の後端部を形成する壁部と面一をなすように当該後端部を塞いでもよい。この場合、軸から垂下した状態の可動板と第二流路の後端部との隙間が非常に小さくなるため、この隙間に不正行為用具を挿入しにくい。つまり、不正行為用具が第二流路に進入することが規制されるため、不正行為用具を用いて入球口を不正に作動させる不正行為をより確実に防止できる。
【００１０】
前記第二流路の後端部は、前記遊技盤の背面よりも後方に位置しており、前記案内部材は、前記第二流路の下側に設けられる壁面であって、前記遊技盤の背面から前記第二流路の後端部まで後方に延びる下壁部を有してもよい。この場合、第二流路の後端部は遊技盤の背面から離間しているため、不正行為者は遊技盤の背面に沿って不正行為用具を第二流路に挿入しにくい。さらに、不正行為者が遊技盤の背面に沿って不正行為用具を第二流路に挿入しようとした場合、不正行為用具は下壁部によって第二流路に進入することが規制される。したがって、不正行為用具を用いて入球口を不正に作動させる不正行為をより確実に防止できる。
【００１１】
前記規制部は、前記軸から垂下した前記可動板に対して前方から接触する、前記第二流路を形成する壁面の一部であってもよい。この場合、第二流路を形成する壁面の一部によって、可動板が垂下した状態から前方に揺動することが規制される。したがって、簡易な構造で、可動板が垂下した状態から後方のみに揺動可能にすることができる。
【００１２】
前記規制部は、前記第一流路の下流端から後方に向けて湾曲し、且つ、前記可動板の下方まで延びる曲面状をなし、前記第一流路の下流端まで案内された遊技球を自身の形状に沿って後方に転動させる壁面であってもよい。この場合、簡易な構造で、可動板が垂下した状態から後方のみに揺動可能にし、且つ、第一流路を流下した遊技球を後方に案内することができる。
【００１３】
前記第一流路に設けられ、前記入球口に入球した遊技球を検出する球検出手段を備え、前記特典付与手段は、前記球検出手段によって前記遊技球が検出された場合に、前記特典を付与してもよい。この場合、不正行為用具が進入しにくい第一流路に球検出手段を設けることで、不正行為用具によって球検出手段が不正操作されることを確実に防止できる。
【００１４】
前記可動板の揺動状態を検出する揺動検出手段と、前記揺動検出手段によって検出された前記可動板の揺動状態と、前記球検出手段によって検出された前記遊技球の数量とに基づいて、前記球検出手段に対する不正行為を検出する不正行為検出手段とを備えてもよい。この場合、可動板の揺動状態と入球口への入賞数とに基づいて、球検出手段に対する不正操作を確実に検出できる。
【図面の簡単な説明】
【００１５】
【図１】パチンコ機１の正面図である。
【図２】遊技盤２の正面図である。
【図３】切替部材１００が第一位置にある、センター役物６０の正面図である。
【図４】回転役物２００およびその周辺の拡大斜視図である。
【図５】切替部材１００が第二位置にある、センター役物６０の上側部分の拡大正面図である。
【図６】遊技盤２の背面図である。
【図７】球通路部材３００の斜視図である。
【図８】中央通路部３０３の分解斜視図である。
【図９】可動板３７０が垂下した状態にある、図２のＡ−Ａ線矢視方向断面図である。
【図１０】可動板３７０が揺動した状態にある、図２のＡ−Ａ線矢視方向断面図である。
【発明を実施するための形態】
【００１６】
本発明に係る遊技機の一実施形態であるパチンコ機１について、図面を参照して説明する。以下の説明では、図１および図２の手前側、奥側、上側、下側、左側、右側を、それぞれ、パチンコ機１の前側（正面側）、後側（背面側）、上側、下側、左側、右側とする。
【００１７】
図１および図２を参照して、パチンコ機１の概略構成を説明する。パチンコ機１には、遊技盤２が設けられている。遊技盤２は、正面視略正方形の板状であり、透明なガラス板を保持した前面枠１３によって前面を保護されている。遊技盤２の下部には上皿５が設けられている。上皿５は、発射機（図示外）に金属製の遊技球５０（図５参照）を供給し、且つ賞品球を受ける。上皿５の上部中央には、遊技者によって操作される操作ボタン９が設けられている。上皿５の直下には、賞品球を受ける下皿１０が設けられている。下皿１０の右横には、遊技球５０の発射を調整する発射ハンドル１１が設けられている。前面枠１３の上部の左右の角には、スピーカ４８がそれぞれ設けられている。
【００１８】
遊技盤２の前面には、ガイドレール３で囲まれた略円形の遊技領域４が形成されている。発射機によって発射された遊技球５０は、遊技領域４内を流下する。遊技領域４の略中央には、ＬＣＤ（液晶ディスプレイ）等で構成される画像表示装置２８が設けられている。画像表示装置２８は、動画等の様々な映像を表示可能な表示面２８Ａを有する。画像表示装置２８は、遊技者が大量の賞球を獲得可能な大当たり遊技を生起するか否かの大当たり判定の結果を報知するためのデモ図柄を表示する。パチンコ機１は、複数（本実施形態では３つ）のデモ図柄を変動させた後に、大当たり判定の結果を示すデモ図柄の組合せを確定表示させる報知演出を実行することで、大当たり判定の結果を遊技者に報知する。
【００１９】
遊技領域４の中央部には、画像表示装置２８の表示面２８Ａを取り囲むように、正面視円形状の遊技部材であるセンター役物６０が取り付けられる。センター役物６０の上端部には上方に開口した飛込口８０が設けられ、下端部には第一始動口１６が設けられる。したがって、パチンコ機１の組立時には、センター役物６０を遊技盤２の中央部に組み付けることで、遊技領域４内に飛込口８０および第一始動口１６を設けることができる。
【００２０】
センター役物６０の右方には普通図柄始動ゲート１２が設けられ、下方には第二始動口７５が設けられる。普通図柄始動ゲート１２の下方には第一大入賞口１８、第二大入賞口１９が上下方向に並んで設けられる。第二大入賞口１９の下方には、普通入賞口９０が設けられる。普通入賞口９０と第二始動口７５との間には、第三始動口８５が設けられる。第二始動口７５の左上方には、３つの普通入賞口９１，９２，９３が設けられる。第二始動口７５の下方であって、遊技領域４の中央下端部には下側アウト口８が設けられている。
【００２１】
パチンコ機１は、ＣＰＵ、ＲＯＭ、ＲＡＭ等を有して遊技制御を行う主基板（図示外）を備えている。第一始動口１６、第二始動口７５、第三始動口８５、普通入賞口９０〜９３、第一大入賞口１８、第二大入賞口１９のいずれかの入球口に遊技球５０が入球すると、主基板は遊技球５０が入球した入球口の種別に応じて、遊技者に所定数の遊技球５０が賞球として付与する。また、第一始動口１６、第二始動口７５、第三始動口８５のいずれかの入球口に遊技球５０が入球すると、主基板は先述の大当たり判定を実行する。なお、第一始動口１６、第二始動口７５、第三始動口８５、普通入賞口９０〜９３、第一大入賞口１８、または第二大入賞口１９等に入球せずに、遊技領域４の下側まで流下する遊技球５０は、下側アウト口８によって回収され、遊技盤２外に排出される。
【００２２】
図２および図３を参照し、センター役物６０の詳細構造を説明する。センター役物６０は、正面視環状の外周壁６００を有する。外周壁６００で囲まれた内側領域の略中心部には、画像表示装置２８の表示面２８Ａを前方に露出させる表示用開口６０Ａが設けられている。さらに、センター役物６０の内側領域には、遊技球５０が移動可能な流路として、飛込口８０から下方に延びる第一流路６４と、第一流路６４の下流側に連通する分岐部６５と、分岐部６５から互いに異なる方向に分岐する第二流路６６および第三流路６７とが設けられている。
【００２３】
第一流路６４は、飛込口８０からやや右側に湾曲するように下方に延びる。第一流路６４の下端部には、旋回部６４Ａが設けられる。旋回部６４Ａは、自身に進入した遊技球５０が上下方向を中心に旋回可能な内周面を有する。第一流路６４の下流側端部は、旋回部６４Ａの下端部に形成された開口を介して、表示用開口６０Ａの上方に設けられた分岐部６５に連通している。
【００２４】
分岐部６５の内部には、遊技領域４を流下する遊技球５０の流下方向を変化させる遊技部材である切替部材１００が設けられている。切替部材１００は、旋回部６４Ａから供給された遊技球５０を、第二流路６６および第三流路６７のいずれに振り分ける。
【００２５】
第二流路６６は、分岐部６５から左下方向に延び、さらに表示用開口６０Ａの左側を下方に延びる。第二流路６６の下端部には、遊技球５０を後述の回転役物２００に向けて排出する排出口６６Ａ（図５参照）が設けられている。第三流路６７は、分岐部６５から右下方向に延び、さらに表示用開口６０Ａの右側を螺旋状に下方に延びる。第三流路６７の下端部には、遊技球５０を後述の回転役物２００に向けて排出する排出口６７Ａ（図５参照）が設けられている。
【００２６】
表示用開口６０Ａの右側には、遊技球５０を１球だけ内部に貯留可能な貯留装置６８が設けられている。第三流路６７は、その螺旋状の流路の途中で、貯留装置６８に接続されている。貯留装置６８の内部に遊技球５０が貯留されていない場合、貯留装置６８は第三流路６７を流れる遊技球５０を１球だけ捕捉して自身の内部に貯留する。一方、貯留装置６８の内部に遊技球５０が貯留されている場合、第三流路６７を流れる遊技球５０は、貯留装置６８に捕捉されることなく排出口６７Ａまで移動する。
【００２７】
貯留装置６８は、内部に貯留解除ソレノイド（図示外）を備える。貯留装置６８の内部に遊技球５０が貯留されている状態で貯留解除ソレノイドが作動すると、遊技球５０は貯留が解除される。センター役物６０における表示用開口６０Ａの左側上方には、タッチセンサ７０が設けられている。遊技者がタッチセンサ７０に手をかざすことで、貯留装置６８の貯留解除ソレノイドが作動する。貯留装置６８で貯留が解除された遊技球５０は、貯留装置６８の下端部に設けられた排出口６８Ａ（図５参照）から排出されて、後述の回転役物２００に向けて移動する。
【００２８】
外周壁６００は、上端部にある飛込口８０の左右両端から円周方向に沿って、下端部にある第一始動口１６近傍まで形成される。外周壁６００は、飛込口８０に対して左右一対に設けられた右側案内部材６１と左側案内部材６２とを含む。右側案内部材６１には、右側アウト口７１が設けられている。複数の遊技球５０が右側案内部材６１の転動面上で滞留し積み上がる状態（所謂、ブドウ状態）を形成した場合に、ブドウ状態を形成する遊技球５０を回収する。左側案内部材６２には、左側アウト口７２が設けられている。複数の遊技球５０が左側案内部材６２の転動面上でブドウ状態を形成した場合に、ブドウ状態を形成する遊技球５０を回収する。
【００２９】
図３を参照し、切替部材１００の詳細構造を説明する。切替部材１００は、分岐部６５内で支軸１００Ａを中心に揺動自在に設けられた可動体である。切替部材１００は、先端部１０１を上方に移動させる第一位置（図３参照）と、先端部１０１を下方に移動させる第二位置（図５参照）との間で揺動可能である。なお、支軸１００Ａには、切替部材１００を第一位置に保持するための弾性力を付与する弾性部材（図示外）が設けられている。
【００３０】
切替部材１００の先端部１０１には、遊技球５０を旋回させた状態で所定時間保持可能なクルーン１０２が設けられている。クルーン１０２の下端部には、遊技球５０を下側に排出する排出口が設けられている。クルーン１０２と支軸１００Ａとの間には、第一案内部１０３が設けられている。第一案内部１０３は、切替部材１００が第一位置にある状態で、切替部材１００に供給された遊技球５０をクルーン１０２に案内する壁面である。切替部材１００の支軸１００Ａ側の端部（図３では右下方向の端部）には、第二案内部１０４が設けられている。第二案内部１０４は、切替部材１００が第二位置にある状態で、切替部材１００に供給された遊技球５０を第三流路６７に案内する壁面である。
【００３１】
図４を参照し、回転役物２００の詳細構造を説明する。センター役物６０の内側領域には、飛込口８０に入球した遊技球５０が転動可能なステージ６３が設けられている。ステージ６３は、表示用開口６０Ａの直下に設けられた、略前後方向に延びる面部である。ステージ６３の左端部には、第二流路６６の排出口６６Ａが形成されている。ステージ６３の右端部には、第三流路６７の排出口６７Ａおよび貯留装置６８の排出口６８Ａが形成されている。
【００３２】
ステージ６３の略中央部には、排出口６６Ａ,６７Ａ,６８Ａよりも低い位置に、平面視で略円形状の凹部である振分部８１が形成されている。振分部８１の底部中央には、回転役物２００の振分面２１０が配置されている。回転役物２００は、図示外のモータによって、振分面２１０を上下方向に延びる軸２００Ａを中心に回転させる。振分面２１０には、上下方向に貫通する８つの穴が、平面視で軸２００Ａを中心に均等間隔で形成されている。これら８つの穴は、軸２００Ａを挟んで配置された２つのチャンス穴２１１と、残り６つのハズレ穴２１２とで構成される。
【００３３】
第二流路６６の排出口６６Ａから排出された遊技球５０は、排出口６６Ａから右後方に延びる案内路８２を経由して、振分部８１の内部に供給される。第三流路６７の排出口６７Ａから排出された遊技球５０は、排出口６７Ａから左後方に延びる案内路８３を経由して、振分部８１の内部に供給される。貯留装置６８の排出口６８Ａから排出された遊技球５０は、排出口６８Ａから左前方に延びる案内路８４を経由して、振分部８１の内部に供給される。
【００３４】
振分部８１の内部に供給された遊技球５０は、振分面２１０の外側を取り囲む円環状の転動面８１Ａを周回するように転動する。遊技球５０は転動面８１Ａを周回したのち、回転する振分面２１０に向けて移動し、チャンス穴２１１またはハズレ穴２１２に落入する。チャンス穴２１１に落入した遊技球５０は、図示外の案内路を経由して第一始動口１６に入賞する。ハズレ穴２１２に落入した遊技球５０は、第一始動口１６の左右両側に設けられた排出路８４，８５の何れかを介して、センター役物６０の下側に排出される。
【００３５】
図３および図５を参照し、遊技球５０がセンター役物６０の内側領域を流下する態様を説明する。飛込口８０へと入球した遊技球５０は、第一流路６４を流下して、旋回部６４Ａに進入する。旋回部６４Ａに進入した遊技球５０は、旋回部６４Ａの内周面に沿って旋回し、その旋回力が弱まると旋回部６４Ａから落下する（図５参照）。
【００３６】
図３に示すように、切替部材１００に遊技球５０が供給されていない状態では、切替部材１００は弾性部材（図示外）の弾性力によって第一位置に保持される。この場合、旋回部６４Ａから落入した遊技球５０は、分岐部６５に進入して第一案内部１０３によって受けられる。第一案内部１０３によって受けられた遊技球５０の荷重によって、切替部材１００は弾性部材（図示外）の弾性力に抗って正面視で反時計周り方向に回転する。これにより、図５に示すように、切替部材１００は第一位置から第二位置に変位する。
【００３７】
切替部材１００が第一位置から第二位置に変位するのに伴って、第一案内部１０３は遊技球５０をクルーン１０２に案内する。この遊技球５０は、クルーン１０２の内部で旋回し、その旋回力が弱まるとクルーン１０２の排出口から落下して、第二流路６６に進入する。切替部材１００が第二位置にある場合、旋回部６４Ａから落入した遊技球５０は、分岐部６５に進入して第二案内部１０４によって受けられる。第二案内部１０４は、遊技球５０を第三流路６７に案内する。
【００３８】
遊技球５０がクルーン１０２の排出口から落下すると、切替部材１００は再び遊技球５０が供給されていない状態に戻る。切替部材１００は、弾性部材（図示外）の弾性力によって、正面視で時計周り方向に回転する。これにより、図３に示すように、切替部材１００は第二位置から第一位置に復帰する。
【００３９】
先述したように、第二流路６６に進入した遊技球５０は、案内路８２を経由して振分部８１の内部に供給される。第三流路６７に進入した遊技球５０のうちで、貯留装置６８に貯留されなかった遊技球５０は、案内路８３を経由して振分部８１の内部に供給される。貯留装置６８に貯留された遊技球５０は、案内路８４を経由して振分部８１の内部に供給される。振分部８１の内部に進入した遊技球５０は、回転役物２００によってチャンス穴２１１またはハズレ穴２１２に振り分けられる（図４参照）。
【００４０】
図６および図７を参照し、球通路部材３００の詳細構造を説明する。以下の説明では、遊技盤２の正面側に設けられた部材に対して、遊技盤２の背面で前後方向に対応する位置を、当該部材の背面位置という。
【００４１】
遊技盤２の略中央には、センター役物６０を組み付けるための開口部である役物用開口２Ａが設けられている。遊技盤２の背面には、背面視で役物用開口２Ａを取り囲む枠状の部材である球通路部材３００が設けられている。球通路部材３００は、遊技領域４に設けられた各種の入球口（第一始動口１６、第二始動口７５、第三始動口８５、普通入賞口９０〜９３、第一大入賞口１８、および第二大入賞口１９）に入球した遊技球５０を、所定の排出位置まで案内する。
【００４２】
球通路部材３００は、役物用開口２Ａの右側（図６では左側）を上下方向に延びる右側通路部３０１と、役物用開口２Ａの左側（図６では右側）を上下方向に延びる左側通路部３０２と、役物用開口２Ａの中央下側に設けられた中央通路部３０３とを含む。球通路部材３００の周囲には、ビス穴が形成された複数のフランジ部３０９が形成されている。球通路部材３００は、各フランジ部３０９のネジ穴に挿入されたネジによって、遊技盤２の背面に固定される。
【００４３】
右側通路部３０１を説明する。右側通路部３０１は、役物用開口２Ａの右上位置（図６では左上位置）から、役物用開口２Ａの右側を蛇行しながら下方向に延びる。右側通路部３０１の下端部は、下側アウト口８の右上側（図６では左上側）に位置しており、遊技球５０の排出口３０１Ａが形成されている。右側通路部３０１の内部には、右側アウト口７１の背面位置から排出口３０１Ａまで延びる遊技球５０の流路である右側流路３５１が形成されている。右側アウト口７１に入球した遊技球５０は、遊技盤２の背面側に送り出されたのち、右側流路３５１を流下して排出口３０１Ａまで移動する。
【００４４】
第一大入賞口１８、第二大入賞口１９、第三始動口８５および普通入賞口９０に入球した遊技球５０も、遊技盤２の背面側に送り出されたのち、右側流路３５１に案内される。したがって、これらの入球口に入球した遊技球５０も、右側流路３５１を流下して排出口３０１Ａまで移動する。排出口３０１Ａから排出された遊技球５０は、図示外の遊技機島に回収される。
【００４５】
右側通路部３０１には、第一大入賞口１８から右側流路３５１に向けて移動する遊技球５０を検出する検出スイッチ２５１が設けられている。検出スイッチ２５１によって遊技球５０が検出された場合、主基板（図示外）は第一大入賞口１８への入賞に基づく賞球を付与する。同様に、右側通路部３０１には、第二大入賞口１９から右側流路３５１に向けて移動する遊技球５０を検出する検出スイッチ２５２が設けられている。検出スイッチ２５２によって遊技球５０が検出された場合、主基板（図示外）は第二大入賞口１９への入賞に基づく賞球を付与する。
【００４６】
右側通路部３０１には、第三始動口８５から右側流路３５１に向けて移動する遊技球５０を検出する検出スイッチ２５３が設けられている。検出スイッチ２５３によって遊技球５０が検出された場合、主基板（図示外）は第三始動口８５への入賞に基づく賞球を付与し、且つ先述の大当たり判定を実行する。右側通路部３０１には、普通入賞口９０から右側流路３５１に向けて移動する遊技球５０を検出する検出スイッチ２５４が設けられている。検出スイッチ２５４によって遊技球５０が検出された場合、主基板（図示外）は普通入賞口９０への入賞に基づく賞球を付与する。
【００４７】
左側通路部３０２を説明する。左側通路部３０２は、役物用開口２Ａの左上位置（図６では右上位置）から、役物用開口２Ａの左側を蛇行しながら下方向に延びる。左側通路部３０２の下端部は、下側アウト口８の左上側（図６では右上側）に位置しており、遊技球５０の排出口３０２Ａが形成されている。左側通路部３０２の内部には、左側アウト口７２の背面位置から排出口３０２Ａまで延びる遊技球５０の流路である第一左側流路３５２が形成されている。左側アウト口７２に入球した遊技球５０は、遊技盤２の背面側に送り出されたのち、第一左側流路３５２を流下して排出口３０２Ａまで移動する。
【００４８】
さらに、左側通路部３０２の内部には、普通入賞口９１〜９３の各背面位置から排出口３０２Ａまで延びる遊技球５０の流路である第二左側流路３５３が形成されている。普通入賞口９１〜９３に入球した遊技球５０は、遊技盤２の背面側に送り出されたのち、第二左側流路３５３を流下して排出口３０２Ａまで移動する。排出口３０２Ａから排出された遊技球５０は、図示外の遊技機島に回収される。第二左側流路３５３には、第二左側流路３５３を流下する遊技球５０を検出する検出スイッチ２５５が設けられている。検出スイッチ２５５によって遊技球５０が検出された場合、主基板（図示外）は普通入賞口９０〜９３への入賞に基づく賞球を付与する。
【００４９】
役物用開口２Ａの中央下側において、右側通路部３０１と左側通路部３０２との間には、中央通路部３０３が設けられている。中央通路部３０３は、第一始動口１６および第二始動口７５に入球した遊技球５０を、遊技盤２の背面における所定の排出位置まで案内する部材である。
【００５０】
図６〜図９を参照し、中央通路部３０３の詳細構造を説明する。図７および図８に示すように、中央通路部３０３は、前部材３１０、後部材３２０、可動板３７０、検出スイッチ２５７を有する。前部材３１０は、中央通路部３０３の前側部分を構成する板状部材である。前部材３１０の周囲３箇所には、ネジ穴が形成されたボス３１９が設けられている。後部材３２０は、中央通路部３０３の後側部分を構成する板状部材であり、前部材３１０と略対応する形状を有する。後部材３２０の周囲３箇所には、前部材３１０のボス３１９に対応する位置に、ネジの挿入穴が形成された３つのフランジ３２９が設けられている。後部材３２０のフランジ３２９を介して、前部材３１０のボス３１９にネジを固定することで、後部材３２０が前部材３１０に後方から組み付けられる。
【００５１】
前部材３１０の背面側および後部材３２０の前面側には、遊技球５０の流路である中央流路３６０を形成するための溝部が形成されている。前部材３１０に後部材３２０が組み付けられると、中央通路部３０３の内部に中央流路３６０が形成される。中央流路３６０は、第一入球口３６１、第一案内路３６２、第二入球口３６３、第二案内路３６４、第三案内路３６５、第四案内路３６６、排出口３６７を有する。
【００５２】
前部材３１０の上端部３１１は、前部材３１０の右上側（図８では左上側）から上方に開口している。前部材３１０に後部材３２０が組み付けられると、前部材３１０の上端部３１１と後部材３２０の上端部３２１とで、遊技球５０が入球可能な開口である第一入球口３６１が形成される。第一案内路３６２は、第一入球口３６１から左下方向（図８では、右下方向）に延びる遊技球５０の流路である。前部材３１０における上端部３１１よりも下方に、遊技球５０が入球可能な開口である第二入球口３６３が形成されている。第二案内路３６４は、第二入球口３６３から左下方向に延びる遊技球５０の流路である。
【００５３】
図６および図９に示すように、第一入球口３６１は第一始動口１６の背面位置よりも若干下側に設けられている。第一始動口１６の直下には、第一始動口１６に入球した遊技球５０を検出する検出スイッチ２５６が設けられている。検出スイッチ２５６の下側には、第一入球口３６１まで後方下側（図９では左下方向）に延びる流路１６Ａが設けられている。流路１６Ａは、第一始動口１６に入球した遊技球５０を遊技盤２の背面側に送り出し、第一入球口３６１に案内する。
【００５４】
第二入球口３６３は、第二始動口７５の背面位置よりも若干下側に設けられている。第二始動口７５の下側には、第二入球口３６３まで後方下側に延びる流路（図示外）が設けられている。この流路は、第二始動口７５に入球した遊技球５０を遊技盤２の背面側に送り出し、第二入球口３６３に案内する。
【００５５】
図７および図８に示すように、第一案内路３６２および第二案内路３６４は、各々の下端部で第三案内路３６５に合流する。第三案内路３６５は、第一案内路３６２および第二案内路３６４の各下端部から後方（図８では、左下方向）に延びる遊技球５０の流路である。第三案内路３６５のうちで遊技球５０が転動する壁面（つまり、下面）は、前部材３１０に設けられた分離壁３１３によって、左右に並ぶ２つの案内面（左側案内面３６５Ａおよび右側案内面３６５Ｂ）として仕切られている。
【００５６】
左側案内面３６５Ａは、第一案内路３６２の下端部から、分離壁３１３の左側（図８では右側）を経由して後方に延びる壁面である。右側案内面３６５Ｂは、第二案内路３６４の下端部から、分離壁３１３の右側（図８では左側）を経由して後方に延びる壁面である。第三案内路３６５の左右方向長さは、少なくとも遊技球２個分の大きさよりも大きい。
【００５７】
後部材３２０の左下側（図８では右下側）には、後方に突出する排出カバー３２３が設けられている。前部材３１０に後部材３２０が組み付けられると、排出カバー３２３は第三案内路３６５を後方から被覆する。排出カバー３２３の内部空間は、第三案内路３６５と連通する遊技球５０の流路である第四案内路３６６である。前部材３１０の下端部３１２は、前部材３１０の左下側に設けられて、第三案内路３６５の後端部をなす。後部材３２０の下端部３２２は、排出カバー３２３の下端部をなし、且つ下方に開口している。前部材３１０に後部材３２０が組み付けられると、前部材３１０の下端部３１２と後部材３２０の下端部３２２とで、第四案内路３６６の下端部から遊技球５０を排出する排出口３６７が形成される。
【００５８】
なお、第三案内路３６５の後端部（つまり、前部材３１０の下端部３１２）は、遊技盤２の背面よりも後方に位置している。前部材３１０は、第三案内路３６５の下方で遊技盤２の背面から前部材３１０の下端部３１２まで延びる壁面である下壁部３１８を有する（図９参照）。
【００５９】
前部材３１０における第二入球口３６３の左側（図８では右側）には、検出スイッチ２５７が設置される空間であるスイッチ設置部３６９が設けられている。検出スイッチ２５７は、遊技球５０が通過可能な検出穴２５７Ａを有する。検出スイッチ２５７がスイッチ設置部３６９に設置されると、検出穴２５７Ａは第二案内路３６４の流路途中に配置される。これにより、第二案内路３６４を流下する遊技球５０は検出穴２５７Ａを通過して、検出スイッチ２５７によって検出される。
【００６０】
可動板３７０は、円筒部３７１と板部３７２とを有する。円筒部３７１は、左右方向に延びる軸孔を有する。板部３７２は、円筒部３７１から径方向外側に延びる長方形状をなす。可動板３７０は、円筒部３７１の軸孔に挿入される軸３７０Ａを中心に回転可能である。板部３７２の左右方向長さは、前部材３１０の下端部３１２の左右方向長さより若干小さい。板部３７２の軸３７０Ａ側から可動側端部３７３までの長さ（図８では上下方向長さ）は、少なくとも遊技球５０の直径よりも大きい。
【００６１】
前部材３１０における下端部３１２の上方には、左右方向に延びる切欠部である一対の軸支部３１５，３１６が、第三案内路３６５を挟んだ左右両側に形成されている。軸支部３１５，３１６は、検出スイッチ２５７の検出穴２５７Ａよりも若干上側に形成されている。同様に、後部材３２０において軸支部３１５，３１６に対向する位置にも、左右方向に延びる切欠部である一対の軸支部３２５，３２６が形成されている。前部材３１０に後部材３２０が組み付けられると、左側の軸支部３１５，３２５が軸３７０Ａの左端部を軸支する孔部を形成し、右側の軸支部３１６，３２６が軸３７０Ａの右端部を軸支する孔部を形成する。これにより、可動板３７０は、中央通路部３０３の内部に設置され、下端部３１２の上方で軸３７０Ａを中心に前後方向に揺動可能である。
【００６２】
図６、図９および図１０を参照し、遊技球５０が中央通路部３０３を流下する態様を説明する。図９に示すように、遊技球５０が中央通路部３０３を流下していない場合、可動板３７０の板部３７２は自重によって軸３７０Ａから垂下する。第三案内路３６５の後端部は、板部３７２と略同形の開口である。したがって、軸３７０Ａから垂下する板部３７２は、第三案内路３６５の後端部を塞ぐ。このとき、可動側端部３７３は前部材３１０の下端部３１２に対して隙間なく近接し、且つ、板部３７２の背面は下端部３１２と同じ前後方向の位置（図９では左右方向の位置）となる。したがって板部３７２は、下端部３１２と面一をなすように第三案内路３６５の後端部を塞ぐ。
【００６３】
左側案内面３６５Ａは、第一案内路３６２の下流端から後方に向けて湾曲し、且つ、軸３７０Ａから垂下する板部３７２の下方まで延びる曲面状をなす。同様に、右側案内面３６５Ｂは、第二案内路３６４の下流端から後方に向けて湾曲し、且つ、軸３７０Ａから垂下する板部３７２の下方まで延びる曲面状をなす。第三案内路３６５の下面（左側案内面３６５Ａおよび右側案内面３６５Ｂ）の後端部は、軸３７０Ａから垂下する板部３７２の可動側端部３７３に対して前側（図９では右側）から接触している。したがって、板部３７２は、軸３７０Ａから垂下した状態から前方（図９では右方向）に揺動することが規制されるため、後方（図９では左方向）のみに揺動可能である。
【００６４】
図６および図１０に示すように、遊技球５０が第一始動口１６に入賞した場合、遊技球５０は流路１６Ａを介して第一入球口３６１に案内され、第一案内路３６２を流下する。このとき、検出スイッチ２５６によって遊技球５０が検出されて、主基板（図示外）は第一始動口１６への入賞に基づく賞球を付与し、且つ先述の大当たり判定を実行する。第一案内路３６２を流下した遊技球５０は第三案内路３６５に進入して、左側案内面３６５Ａの形状に沿って後方に転動する。
【００６５】
左側案内面３６５Ａ上を転動する遊技球５０は、第三案内路３６５の後端部を塞ぐ板部３７２を前方から付勢する。この付勢力によって、板部３７２は排出カバー３２３の内部で軸３７０Ａを中心に後方に揺動し、第三案内路３６５の後端部を開放する。これにより遊技球５０は、可動板３７０の直下を経由して第四案内路３６６に進入し、自重によって排出口３６７から落下する。その後、板部３７２は自重によって、排出カバー３２３の内部で軸３７０Ａを中心に前方に揺動し、軸３７０Ａから垂下した状態に戻る（図９参照）。
【００６６】
遊技球５０が第二始動口７５に入賞した場合、遊技球５０は図示外の流路を介して第二入球口３６３に案内され、第二案内路３６４を流下する。このとき、検出スイッチ２５７によって遊技球５０が検出されて、主基板（図示外）は第二始動口７５への入賞に基づく賞球を付与し、且つ先述の大当たり判定を実行する。第二案内路３６４を流下した遊技球５０は第三案内路３６５に進入して、右側案内面３６５Ｂの形状に沿って後方に転動する。右側案内面３６５Ｂ上を転動する遊技球５０も、先述と同様に板部３７２を前方から付勢する。この付勢力によって板部３７２が後方に揺動することで、遊技球５０は第四案内路３６６に進入し、自重によって排出口３６７から落下する。その後、板部３７２は自重によって前方に揺動し、軸３７０Ａから垂下した状態に戻る（図９参照）。なお、排出口３６７から排出された遊技球５０も、図示外の遊技機島に回収される。
【００６７】
以上説明したように、本実施形態によれば、遊技盤２の正面に設けられた遊技領域４を流下する遊技球５０が第一始動口１６または第二始動口７５に入球すると、遊技者に特典が付与される。第一始動口１６または第二始動口７５に入球した遊技球５０は、中央通路部３０３によって遊技盤２の背面における所定の排出位置まで案内される。中央通路部３０３は、第一始動口１６または第二始動口７５に入球した遊技球５０を下方に案内する第一案内路３６２および第二案内路３６４と、第一案内路３６２および第二案内路３６４の各下流端まで案内された遊技球５０を後方に案内する第三案内路３６５とを有する。中央通路部３０３が有する可動板３７０は、左右方向に延びる軸３７０Ａから垂下した状態で、第三案内路３６５を塞ぐ。可動板３７０は、軸３７０Ａによって前後方向に揺動自在に支持され、且つ、垂下した状態から前方に揺動することが左側案内面３６５Ａおよび右側案内面３６５Ｂによって規制される。
【００６８】
これによれば、第一始動口１６に入球した遊技球５０は、第一案内路３６２および第三案内路３６５を経由し、さらに可動板３７０を前方から押して後方に揺動させる。第二始動口７５に入球した遊技球５０は、第二案内路３６４および第三案内路３６５を経由し、さらに可動板３７０を前方から押して後方に揺動させる。このとき、可動板３７０は第三案内路３６５を開放するため、遊技球５０は可動板３７０の下方を経由して排出口３６７まで移動する。
【００６９】
一方、可動板３７０は後方から押圧されても前方に揺動しないので、第三案内路３６５は可動板３７０によって塞がれた状態が維持される。したがって、不正行為者が不正行為用具を排出口３６７から第三案内路３６５に挿入しようとした場合、可動板３７０によって不正行為用具が第一案内路３６２および第二案内路３６４に進入することが規制される。その結果、不正行為用具を用いて第一始動口１６または第二始動口７５を不正に作動させる不正行為を、確実に防止できる。
【００７０】
可動板３７０は、軸３７０Ａから垂下した状態で、第三案内路３６５の後端部を形成する下端部３１２と面一をなすように当該後端部を塞ぐ。軸３７０Ａから垂下した状態の可動板３７０と第三案内路３６５の後端部との隙間が非常に小さくなるため、この隙間に不正行為用具を挿入しにくい。つまり、不正行為用具が第三案内路３６５に進入することが規制されるため、不正行為用具を用いて第一始動口１６または第二始動口７５を不正に作動させる不正行為をより確実に防止できる。
【００７１】
第三案内路３６５の後端部は、遊技盤２の背面から離間しているため、不正行為者は遊技盤２の背面に沿って不正行為用具を第三案内路３６５に挿入しにくい。さらに、不正行為者が遊技盤２の背面に沿って不正行為用具を第三案内路３６５に挿入しようとした場合、不正行為用具は下壁部３１８によって第三案内路３６５に進入することが規制される。したがって、不正行為用具を用いて第一始動口１６または第二始動口７５を不正に作動させる不正行為をより確実に防止できる。
【００７２】
第三案内路３６５を形成する壁面の一部（左側案内面３６５Ａおよび右側案内面３６５Ｂ）によって、可動板３７０が垂下した状態から前方に揺動することが規制される。さらに、左側案内面３６５Ａおよび右側案内面３６５Ｂは、それぞれ、第一案内路３６２および第二案内路３６４の各下流端まで案内された遊技球５０を自身の形状に沿って後方に転動させる壁面である。したがって、簡易な構造で、可動板３７０が垂下した状態から後方のみに揺動可能にし、且つ、第一案内路３６２または第二案内路３６４を流下した遊技球５０を円滑に案内することができる。
【００７３】
第一案内路３６２および第二案内路３６４は、第三案内路３６５よりも上流側に設けられているため、第三案内路３６５よりも不正行為用具が進入しにくい。第二案内路３６４に検出スイッチ２５７を設けることで、不正行為用具によって検出スイッチ２５７が不正操作されることを確実に防止できる。
【００７４】
上記実施形態において、第一始動口１６および第二始動口７５が、本発明の「入球口」に相当する。主基板（図示外）が、本発明の「特典付与手段」に相当する。中央通路部３０３が、本発明の「案内部材」に相当する。第一案内路３６２および第二案内路３６４が、本発明の「第一流路」に相当する。第三案内路３６５が、本発明の「第二流路」に相当する。左側案内面３６５Ａおよび右側案内面３６５Ｂが、本発明の「規制部」に相当する。検出スイッチ２５７が、本発明の「球検出手段」に相当する。
【００７５】
本発明は、以上詳述した実施の形態に限定されるものではなく、本発明の要旨を逸脱しない範囲内において種々の変更が可能であることは勿論である。可動板３７０が軸３７０Ａから垂下した状態から前方に揺動することを規制する規制部は、左側案内面３６５Ａおよび右側案内面３６５Ｂに限定されず、例えば中央通路部３０３に設けた他の部材でもよい。入球口は、第一始動口１６および第二始動口７５に限定されず、他の始動口や入賞口でもよい。例えば、右側通路部３０１や左側通路部３０２に、中央通路部３０３と同様に可動板３７０を設けてもよい。
【００７６】
また、可動板３７０の揺動状態を検出するセンサを設けてもよい。この場合、このセンサによって検出された可動板３７０の揺動状態と、検出スイッチ２５６，２５７によって検出された遊技球５０の数量とに基づいて、主基板（図示外）が検出スイッチ２５６，２５７に対する不正行為を検出することができる。例えば、検出スイッチ２５６，２５７によって検出された遊技球５０の数量（つまり、第一始動口１６および第二始動口７５への入賞数）が、可動板３７０の揺動回数よりも多い場合、主基板（図示外）は検出スイッチ２５６，２５７が不正操作されたと判断できる。
【符号の説明】
【００７７】
１    パチンコ機
２    遊技盤
４    遊技領域
１６    第一始動口
５０    遊技球
７０    タッチセンサ
７５    第二始動口
２５６，２５７    検出スイッチ
３０３    中央通路部
３１８    下壁部
３６２    第一案内路
３６４    第二案内路
３６５    第三案内路
３６５Ａ    左側案内面
３６５Ｂ    右側案内面
３６７    排出口
３７０    可動板
３７０Ａ    軸
【図１】
2014161398.tif 000003
【図２】
2014161398.tif 000004
【図３】
2014161398.tif 000005
【図４】
2014161398.tif 000006
【図５】
2014161398.tif 000007
【図６】
2014161398.tif 000008
【図７】
2014161398.tif 000009
【図８】
2014161398.tif 000010
【図９】
2014161398.tif 000011
【図１０】
2014161398.tif 000012